(57)【要約】      （修正有）【課題】タッチ感度及びタッチパネル特性の直線性を高めたタッチパネルを提供する。【解決手段】基板２０１は、表示領域２０２と、表示領域２０２の両側に位置する第１の周辺領域２０３ａ及び第２の周辺領域２０３ｂと、を有し、透明導電パターン２０５は表示領域２０２に位置し、タッチ操作を検出する複数の第２の電極２０５２及び複数の第１の電極２０５１有し、各第２の電極２０５２は、上下２分してそれぞれ電極導線２０５３ａ，２０５３ｂに接続され、２０５３ａは、第１の周辺領域２０３ａまで延伸し、電極導線２０５３ｂは、第２の周辺領域２０３ｂに延伸して、表示領域を迂回する周辺リード構造２０９，２１０によって並列接続される。【選択図】図５
0003182005.tif 000002
【実用新案登録請求の範囲】
【請求項１】
基板、表示領域の外周を遮蔽及び隠蔽する遮蔽層、タッチ操作を検出する複数の第１の電極及び複数の第２の電極、該電極と接続する電極導線、該電極導線とリードとを接続するための少なくとも１つの並列接続領域、を備えるタッチパネルであって、
前記基板は、表示領域と、前記表示領域の外側に位置する周辺領域と、を有し、
前記遮蔽層は、前記周辺領域上に位置し、
前記少なくとも１つの並列接続領域は、前記周辺領域内に画定され、
前記複数の第１の電極及び前記複数の第２の電極は、前記表示領域に設けられ、
前記各第２の電極の電極導線は、前記表示領域から前記並列接続領域の前記遮蔽層上まで延伸して前記並列接続領域において複数の絶縁部によりそれぞれ被覆され、
前記リードは前記周辺領域の遮蔽層上に設けられて迂回し、前記絶縁部上に跨設される周辺リード構造を具え、
前記電極導線は前記周辺リード構造とこれら絶縁部により被覆されない電極導線突出端で、接続されることを特徴とするタッチパネル。
【請求項２】
前記周辺リード構造は、複数の第１のリード及び複数の第２のリードを有し、前記複数の第１のリードは、一部の前記電極導線に接続され、前記複数の第２のリードは、残りの前記電極導線に接続されることを特徴とする請求項１に記載のタッチパネル。
【請求項３】
前記一部の電極導線と前記残りの電極導線とは、互いに反対方向に延伸することを特徴とする請求項１に記載のタッチパネル。
【請求項４】
前記表示領域の前記複数の電極導線が占有する領域は、非検出領域であることを特徴とする請求項１に記載のタッチパネル。
【請求項５】
前記複数の第１の電極、前記複数の第２の電極及び前記複数の電極導線により、透明導電パターンが形成されることを特徴とする請求項１に記載のタッチパネル。
【請求項６】
前記周辺領域は表示領域を囲む、第１の周辺領域、第２の周辺領域、第３の周辺領域及び第４の周辺領域を有し、前記第１の周辺領域と前記第２の周辺領域とは、前記表示領域を挟んで反対側に位置し、前記第３の周辺領域と前記第４の周辺領域とは、前記表示領域を挟んで反対側に位置することを特徴とする請求項１に記載のタッチパネル。
【請求項７】
前記周辺リード構造は、金属材料から構成され、前記金属材料は、銀ペースト又は銅、モリブデン含有材料であることを特徴とする請求項１に記載のタッチパネル。
【請求項８】
基板、遮蔽層、透明導電パターン及び少なくとも１つの並列接続領域を備えるタッチパネルであって、
前記基板は、表示領域と、前記表示領域の対向する両側にそれぞれ位置する少なくとも１つの第１の周辺領域と第２の周辺領域と、を有し、
前記遮蔽層は、前記第１の周辺領域及び前記第２の周辺領域上に位置し、
前記透明導電パターンは、前記表示領域に設けられ、前記透明導電パターンは、タッチ操作を検出する複数の第１の電極及び複数の第２の電極を有し、前記複数の第２の電極は、前記第１の電極に相対して配置されると共に電極導線をそれぞれ有し、一部の前記電極導線は、前記第１の周辺領域の遮蔽層上まで延伸し、残りの前記電極導線は、前記第２の周辺領域の遮蔽層上まで延伸し、
前記少なくとも１つの並列接続領域は、前記第１の周辺領域及び前記第２の周辺領域の少なくとも何れかに画定され、複数の絶縁部及び周辺リード構造を有し、前記複数の絶縁部は、前記電極導線上に設けられ、前記周辺リード構造は、前記遮蔽層上に設けられて前記複数の電極導線に接続され、前記複数の絶縁部上に跨設されることを特徴とするタッチパネル。
【請求項９】
基板、遮蔽層、透明導電パターン及び第１の並列接続領域を備えるタッチパネルであって、
前記基板は、表示領域、第１の周辺領域及び第２の周辺領域を有し、前記第１の周辺領域と前記第２の周辺領域とは、前記表示領域の第１側と、表示領域を挟んで前記第１側と反対側の第２側と、に位置し、
前記遮蔽層は、前記第１の周辺領域及び前記第２の周辺領域上に設けられ、
前記透明導電パターンは、前記表示領域に設けられ、タッチ操作を検出する複数の第１の電極及びこれに相対する複数の第２の電極を有し、前記複数の第１の電極は、間隔をあけて配列されることにより各２つの第１の電極間にそれぞれ間隔を画定し、前記複数の第２の電極は、前記各間隔内に前記第１の電極に相対して配置され、
前記各間隔内の前記複数の第２の電極を２分してその一方に第１の電極導線を接続し、残りの前記第２の電極に第２の電極導線を接続して、前記複数の第１の電極導線を前記第１の周辺領域の遮蔽層上まで延伸し、前記複数の第２の電極導線は、前記第２の周辺領域の遮蔽層上まで延伸し、
前記第１の並列接続領域は、前記第１の周辺領域内に画定されて、複数の第１の絶縁部及び第１の周辺リード構造を有し、前記第１の絶縁部は、前記第１の電極導線上に設けられ、前記第１の周辺リード構造は、前記遮蔽層上に設けられ、前記複数の第１の電極導線に接続され、前記複数の第１の絶縁部上に跨設されることを特徴とするタッチパネル。
【請求項１０】
前記第１の周辺リード構造は、複数の第１のリード及び複数の第２のリードを有し、前記複数の第１のリードは、一部の前記第１の電極導線に接続され、前記複数の第２のリードは、残りの前記第１の電極導線に接続されることを特徴とする請求項９に記載のタッチパネル。
【請求項１１】
前記基板は、前記表示領域の第３側と、前記第３側と反対側の第４側と、に位置する第３の周辺領域と第４の周辺領域とを有することを特徴とする請求項９に記載のタッチパネル。
【請求項１２】
前記第１の周辺領域、前記第２の周辺領域、前記第３の周辺領域及び前記第４の周辺領域上に位置する遮蔽層をさらに有することを特徴とする請求項１１に記載のタッチパネル。
【請求項１３】
前記複数の第１のリードは、前記第１の周辺領域から延伸し、表示領域を迂回して前記第３の周辺領域を通過し、前記第２の周辺領域に至り、前記複数の第２のリードは、前記第１の周辺領域から延伸し、表示領域を迂回して前記第４の周辺領域を通過し、前記第２の周辺領域に至ることを特徴とする請求項１１に記載のタッチパネル。
【請求項１４】
前記第２の周辺領域内に画定される第２の並列接続領域をさらに有し、前記第２の並列接続領域は、複数の第２の絶縁部及び第２の周辺リード構造を有し、前記複数の第２の絶縁部は、前記第２の電極導線上に設けられ、前記第２の周辺リード構造は、前記遮蔽層上に設けられ、前記複数の第２の電極導線に接続され、前記複数の第２の絶縁部上に跨設されることを特徴とする請求項１０に記載のタッチパネル。
【請求項１５】
前記第２の周辺リード構造は、複数の第３のリード、複数の第４のリード及び複数の第５のリードを有し、前記複数の第３のリードは、一部の前記第２の電極導線に接続され、前記複数の第４のリードは、残りの前記第２の電極導線に接続され、前記複数の第５のリードは、前記複数の第１の電極に接続されることを特徴とする請求項１４に記載のタッチパネル。
【請求項１６】
前記第１の周辺リード構造及び前記第２の周辺リード構造は、金属材料から構成され、前記金属材料は、銀ペースト又は銅、モリブデンを含有する材料からなることを特徴とする請求項１５に記載のタッチパネル。
【請求項１７】
前記複数の第１の電極導線と前記複数の第２の電極導線とは、互いに反対方向に延伸することを特徴とする請求項９に記載のタッチパネル。
【請求項１８】
前記表示領域の前記複数の第１の電極導線及び前記複数の第２の電極導線が占有する各間隔内は、非検出領域であることを特徴とする請求項９に記載のタッチパネル。
【考案の詳細な説明】
【技術分野】
【０００１】
本考案は、タッチパネルに関し、特に、配線構造が変更されたタッチパネルに関する。
【背景技術】
【０００２】
現在、家電市場において、タッチパネル（ｔｏｕｃｈ  ｐａｎｅｌ）は、多機能携帯電話、携帯電話、タブレットコンピュータ、ノートパソコンなど、多くの製品に応用されている。タッチパネルは、斬新なマンマシンインターフェースであり、ユーザが指又はスタイラスを使用してモニターに表示されたオブジェクトに対して直接操作したり、コマンドを出したりすることができるため、利便性及び直感性に富む。
【０００３】
現在、頻繁に見られるタッチパネルの動作原理は、抵抗膜方式、静電容量方式、表面弾性波方式などである。タッチパネルは、一般に、表示領域と、表示領域周辺を取り囲む周辺領域とからなる。表示領域は、タッチ検出信号を生成するために用いられる。周辺領域内には、タッチ検出信号を信号処理機構に伝達して演算を行うために用いられる複数のリードが設置される。これにより、タッチ位置の座標を確定することができる。
【０００４】
一般に、表示領域中の透明電極は、Ｘ方向及びＹ方向の電極からなる。図１を参照する。図１は、従来のタッチパネル１００の導電パターンを示す平面図である。図１に示すように、タッチパネル１００の表示領域１０１外側は、周辺領域１０３によって取り囲まれる。周辺領域１０３は、上側領域１０３ａ、下側領域１０３ｂ、右側領域１０３ｃ及び左側領域１０３ｄとからなる。
【０００５】
タッチパネル１００の周辺領域１０３の上側領域１０３ａには、複数の周辺リード１０６が形成される。
【０００６】
タッチパネル１００の表示領域１０１上には、導電パターン１０４が形成される。導電パターン１０４は、複数の第１の電極１０４１、複数の第２の電極１０４２及び複数の間隔１０４３を有する。複数の第１の電極１０４１は、間隔１０４３をあけて配列される。各間隔１０４３には、複数の第２の電極１０４２が設置される。即ち、１つの第１の電極１０４１に複数の第２の第２の電極１０４２が組み合わされる。各間隔１０４３内の複数の第２の電極１０４２は、それぞれ電極導線１０４２１を有し、これら全ての電極導線１０４２１は、表示領域１０１から上側領域１０３ａまで延伸して上側領域１０３ａ上の周辺リード１０６にそれぞれ接続される。各第１の電極１０４１の上側端も、上側領域１０３ａ上の周辺リード１０６にそれぞれ接続される。
電極導線１０４２１と周辺リード１０６とが接続されることにより、電極から生成される検出信号は、処理機構（図示せず）に伝達される。
【０００７】
しかし、上述の従来技術によるタッチパネルにおいては、各間隔１０４３内の第２の電極１０４２の電極導線１０４２１によって占められる広範囲の非検出領域Ａが形成されてしまう。即ち、全ての第２の電極１０４２の電極導線１０４２１が上側領域１０３ａに向かって敷設されるため、非検出領域Ａの幅が広くなる。これにより、導電パターン１０４の各アレイ間の距離が影響を受けるため、タッチ感度に劣る上、タッチパネル１００の特性上直線性に劣る。また、リードの接点数が多すぎるため、フレキシブル回路基板を接続する際の失敗率が高い。
【０００８】
このため、業界においては、従来のタッチパネルの導電パターンに改良を加えることにより、非検出領域の幅及び空間を減少し、表示領域を最大化することが求められていた。
【先行技術文献】
【特許文献】
【０００９】
【特許文献１】特開２００９−１７５７８４号公報
【考案の概要】
【考案が解決しようとする課題】
【００１０】
本考案の主な目的は、表示領域に設けられる透明導電パターンの複数の第２の電極の電極導線が２つ又は２つ以上の方向に分かれて延伸して設置されることにより、第２の電極の電極導線によって２つの第１の電極間の間隔内が占有され、非検出領域の幅及び空間が大きくなることがないため、タッチ感度及びタッチパネルの直線性を高めることができるタッチパネルの構造を提供することにある。
本考案のもう１つの目的は、タッチパネルの周辺領域に、周辺リード構造を含む少なくとも１つの並列接続領域が設置され、周辺リード構造によって同一の横方向に配列する第２の電極の電極導線が並列接続されることにより、周辺リード構造のリードの数が電極導線の数より大幅に減少し、リードの数が減少することにより、リードの接点数も減少するため、フレキシブル回路基板と結合する際の不良率を低減することができるタッチパネルの構造を提供することにある。
【課題を解決するための手段】
【００１１】
上述の課題を解決するために、本考案のタッチパネルは、基板、少なくとも１つの並列接続領域、複数の第１の電極及び複数の第２の電極を有する。基板は、表示領域と、表示領域の外側に位置する周辺領域と、有する。少なくとも１つの並列接続領域は、周辺領域内に画定される。並列接続領域は、複数の絶縁部と、絶縁部上に跨設される周辺リード構造と、を含む。複数の第１の電極及び複数の第２の電極は、表示領域に設けられる。各第２の電極は、電極導線を有する。電極導線は、表示領域から並列接続領域まで延伸する上、周辺リード構造に電気的に連結される。
【００１２】
周辺リード構造は、複数の第１のリード及び複数の第２のリードを具える。複数の第１のリードは、一部の電極導線に並列接続され、複数の第２のリードは、残りの電極導線に並列接続される。
【００１３】
第１の電極、第２の電極及び電極導線により、透明導電パターンが形成される。
【００１４】
周辺領域は、第１の周辺領域、第２の周辺領域、第３の周辺領域及び第４の周辺領域からなり、第１の周辺領域と第２の周辺領域とは、表示領域の第１側と、第１側と反対側の第２側と、に位置する。第３の周辺領域と第４の周辺領域とは、表示領域の第３側と、第３側と反対側の第４側と、に位置する。
【００１５】
詳細に述べると、本考案のタッチパネルは、基板、透明導電パターン及び第１の並列接続領域を含む。基板は、表示領域、第１の周辺領域及び第２の周辺領域を含む。第１の周辺領域と第２の周辺領域とは、表示領域の第１側と、第１側と反対側の第２側と、に位置する。透明導電パターンは、表示領域に設けられる。透明導電パターンは、複数の第１の電極及び複数の第２の電極を含む。複数の第１の電極は、間隔をあけて配列されることにより、複数の間隔を画定する。即ち、各間隔は、各２つの第１の電極間に位置する。複数の第２の電極は、各間隔内に設けられ、第１の電極に対向する。各間隔内の一部の第２の電極は、第１の電極導線を有し、残りの第２の電極は、第２の電極導線を有する。複数の第１の電極は、第１の周辺領域まで延伸する。複数の第２の電極導線は、第２の周辺領域まで延伸する。第１の並列接続領域は、第１の周辺領域内に画定される。第１の並列接続領域は、複数の第１の絶縁部及び第１の周辺リード構造を含む。第１の絶縁部は、第１の電極導線上に設けられる。第１の周辺リード構造は、複数の第１の絶縁部上に跨設される上、複数の第１の電極導線に接続される。
【００１６】
第１の周辺リード構造は、複数の第１のリード及び複数の第２のリードを含む。複数の第１のリードは、一部の第１の電極導線に接続される。複数の第２のリードは、残りの第１の電極導線に接続される。複数の第１のリードは、第１の周辺領域から延伸し、第３の周辺領域を通過し、第２の周辺領域に至る。複数の第２のリードは、第１の周辺領域から延伸し、第４の周辺領域を通過し、第２の周辺領域に至る。
【００１７】
本考案のタッチパネルは、第２の周辺領域内に画定される第２の並列接続領域をさらに含む。第２の並列接続領域は、複数の第２の絶縁部及び第２の周辺リード構造を含む。複数の第２の絶縁部は、第２の電極導線上に設けられる。第２の周辺リード構造は、複数の第２の絶縁部上に跨設される上、複数の第２の電極導線に接続される。第２の周辺リード構造は、複数の第３のリード、複数の第４のリード及び複数の第５のリードを含む。複数の第３のリードは、一部の第２の電極導線に接続される。複数の第４のリードは、残りの第２の電極導線に接続される。複数の第５のリードは、複数の第１の電極に接続される。
【００１８】
第１の周辺リード構造及び第２の周辺リード構造は、銀ペースト、銅、モリブデンなどの金属材料によって形成される。
【考案の効果】
【００１９】
本考案のタッチパネルは、表示領域に設けられる透明導電パターンの複数の第２の電極の電極導線が２つ又は２つ以上の方向に分かれて延伸して設置されることにより、第２の電極の電極導線によって２つの第１の電極間の間隔内が占有され、非検出領域の幅及び空間が大きくなることがないため、タッチ感度及びタッチパネルの直線性を高めることができる。さらに、タッチパネルの周辺領域に、周辺リード構造を含む少なくとも１つの並列接続領域が設置され、周辺リード構造によって同一の横方向に配列する第２の電極の電極導線が並列接続されることにより、周辺リード構造のリードの数が電極導線の数より大幅に減少し、リードの数が減少することにより、リードの接点数も減少するため、フレキシブル回路基板と結合する際の不良率を低減することができる。
【図面の簡単な説明】
【００２０】
【図１】従来のタッチパネルの導電パターンを示す平面図である。
【図２】本考案の一実施形態によるタッチパネルの基板及び遮蔽層を示す平面図である。
【図３】本考案の一実施形態によるタッチパネルの表示領域に透明導電パターンを形成した状態を示す平面図である。
【図４】本考案の一実施形態によるタッチパネルの第１の並列接続領域を画定し、絶縁部を形成した状態を示す平面図である。
【図５】本考案の一実施形態によるタッチパネルの第１の周辺リード構造を形成した状態を示す平面図である。
【図６】本考案の一実施形態によるタッチパネルの各列の横方向に対応する第２の電極を第１の周辺リード構造によって並列接続する状態を示す平面図である。
【図７】本考案の一実施形態によるタッチパネルの各列の横方向に対応する第２の電極を第１の周辺リード構造によって並列接続する状態を示す平面図である。
【図８】本考案の一実施形態によるタッチパネルの各列の横方向に対応する第２の電極を第１の周辺リード構造によって並列接続する状態を示す平面図である。
【図９】本考案の一実施形態によるタッチパネルの各列の横方向に対応する第２の電極を第１の周辺リード構造によって並列接続する状態を示す平面図である。
【図１０】図５の第１の並列接続領域と同一効果の構造を示す平面図である。
【図１１】図５中の線Ｙ−Ｙ’に沿った断面図である。
【図１２】図５中の線Ｘ−Ｘ’に沿った断面図である。
【図１３】本考案の他の実施形態によるタッチパネルを示す平面図である。
【考案を実施するための形態】
【００２１】
本考案の目的、特徴および効果を示す実施形態を図面に沿って詳細に説明する。同一の部材は、同一の符号を用いて説明する。
【００２２】
図２〜図５を参照する。図２〜図５を用いて本考案のタッチパネル２００の製造工程を順番に説明する。図２に示すように、先ず、タッチパネル２００内部の導電パターンを設置するベースとなる基板２０１を準備する。基板２０１は、シリカガラス、ポリメタクリル酸メチル（ＰＭＭＡ）、ポリカーボネート（ＰＣ）、ポリエチレンテレフタレート（ＰＥＴ）などからなる透明（透光）の板体である。基板２０１は、タッチパネル２００内部の導電線路を保護し、ユーザが指又はスタイラスでタッチ動作を行う平面（基板２０１の外表面）を提供するために用いられる。基板２０１は、タッチパネル２００内部の表示モジュール（ＬＣＤ表示モジュールなど）から放出される画像光を透過し、ユーザに画像を表示する。本実施形態のタッチパネル２００は、基板２０１の背面を俯瞰した視角から説明を行う。ここで、背面（内表面）とは、タッチパネル２００が使用される際にユーザが接触しない表面である。
【００２３】
図２に示すように、基板２０１は、表示領域２０２と表示領域２０２外側に設けられる周辺領域とを具える。周辺領域は、表示領域２０２を囲んで図中下側から、第１の周辺領域２０３ａ、上方の第２の周辺領域２０３ｂ、左側の第３の周辺領域２０３ｃ及び右側の第４の周辺領域２０３ｄである。
即ち、第１の周辺領域２０３ａと第２の周辺領域２０３ｂとは、表示領域を挟んで表示領域２０２の第１側と、第１側と反対側に位置する第２側とにそれぞれ位置する。また、第３の周辺領域２０３ｃと第４の周辺領域２０３ｄとは、表示領域の第３側と、第３側と反対側に位置する第４側と、にそれぞれ位置する。遮蔽層（Ｐａｔｔｅｒｎｅｄ  Ｍａｓｋ  Ｌａｙｅｒ）２０４は、第１の周辺領域２０３ａ、第２の周辺領域２０３ｂ、第３の周辺領域２０３ｃ及び第４の周辺領域２０３ｄの位置に対応する。遮蔽層２０４は、表示領域２０２の外周を遮蔽及び隠蔽する作用を有する。本実施形態の遮蔽層２０４は、不透明（透光）であって、絶縁物質である材料が印刷又は塗布されて形成される。
【００２４】
図３に示すように、基板２０１上に表示領域２０２、各周辺領域２０３ａ〜２０３ｄ及び遮蔽層２０４を形成後、タッチパネル２００内部の導電パターンの製作を行う。透明導電パターン２０５は、フォトエッチング又は他の方式によって表示領域２０２中に形成する。透明導電パターン２０５により、タッチパネル２００のタッチ領域が構成される。透明導電パターン２０５は、静電容量方式の電極とし、複数の縦方向の第１の電極２０５１と、該第１の電極２０５１の横に位置してこれと対を成す複数列の第２の電極２０５２とからなる。本実施形態の図中、これらの複数列の横方向の列に相当する複数の各第２の電極２０５２には、同一の符合を記す（例えば、横方向の第１列の電極の符合は、何れもＲＸ１と記す）。
複数の第１の電極２０５１が縦方向に間隔をあけて配列されることにより、表示領域２０２内には、複数の間隔２０６が画定される。即ち、各間隔２０６は、各２つの第１の電極２０５１間に位置する。複数の第２の電極２０５２は、第１の電極２０５１に相対して各間隔２０６内に設けられる。
また、各間隔２０６内の一部の第２の電極２０５２は、第１の電極導線２０５３ａを有し、残る第２の電極２０５２は、第２の電極導線２０５３ｂを有する。複数の第１の電極導線２０５３ａは、一方向（図中の下方）に向けて第１の周辺領域２０３ａまで延伸し、他方、複数の第２の電極導線２０５３ｂは、反対方向（図中の上方）に向けて第２の周辺領域２０３ｂまで延伸する。即ち、第２の電極の一部の電極導線（第１の電極導線２０５３ａ）と残りの電極導線（第２の電極導線２０５３ｂ）とは、互いに反対方向に延伸する。
【００２５】
複数の第１の電極２０５１及び第２の電極２０５２は、基板２０１上全体にアレイ状に配列し、ユーザが基板表面上で行うタッチ動作（スライド、クリックなど）を検出する電極としてタッチ動作を検出信号に変換する。各間隔２０６内の複数の第１の電極導線２０５３ａ及び複数の第２の電極導線２０５３ｂの配線が占有する幅により、非検出領域Ａ’が構成される。
【００２６】
表示領域２０２上の画像表示が妨害されないように、透明導電パターン２０５の第１の電極２０５１、第２の電極２０５２、第１の電極導線２０５３ａ及び第２の電極導線２０５３ｂの材料は、酸化インジウムスズ（Ｉｎｄｉｕｍ  Ｔｉｎ  Ｏｘｉｄｅ：ＩＴＯ）、酸化インジウム亜鉛（Ｉｎｄｉｕｍ  Ｚｉｎｃ  Ｏｘｉｄｅ：ＩＺＯ）、カドミウムスズ酸化物（ｃａｄｍｉｕｍ  ｔｉｎ  ｏｘｉｄｅ：ＣＴＯ）、アルミニウムドープ酸化亜鉛（ａｌｕｍｉｎｕｍ  ｚｉｎｃ  ｏｘｉｄｅ：ＡＺＯ）、酸化インジウムスズ亜鉛（ｉｎｄｉｕｍ  ｔｉｎ  ｚｉｎｃ  ｏｘｉｄｅ：ＩＴＺＯ）、酸化亜鉛（ｚｉｎｃ  ｏｘｉｄｅ）、酸化カドミウム（ｃａｄｍｉｕｍ  ｏｘｉｄｅ）、酸化ハフニウム（ｈａｆｎｉｕｍ  ｏｘｉｄｅ：ＨｆＯ２）、インジウムガリウム酸化亜鉛（ｉｎｄｉｕｍ  ｇａｌｌｉｕｍ  ｚｉｎｃ  ｏｘｉｄｅ：ＩｎＧａＺｎＯ）、インジウムガリウム亜鉛酸化マグネシウム（ｉｎｄｉｕｍ  ｇａｌｌｉｕｍ  ｚｉｎｃ  ｍａｇｎｅｓｉｕｍ  ｏｘｉｄｅ：ＩｎＧａＺｎＭｇＯ）、インジウムガリウム酸化マグネシウム（ｉｎｄｉｕｍ  ｇａｌｌｉｕｍ  ｍａｇｎｅｓｉｕｍ  ｏｘｉｄｅ：ＩｎＧａＭｇＯ）、インジウムガリウム酸化アルミニウム（ｉｎｄｉｕｍ  ｇａｌｌｉｕｍ  ａｌｕｍｉｎｕｍ  ｏｘｉｄｅ：ＩｎＧａＡｌＯ）などの光透過性の材料からなる。
【００２７】
図４を参照する。図４に示すように、透明導電パターン２０５を形成した後、第１の周辺領域２０３ａ又は第２の周辺領域２０３ｂに、少なくとも１つの並列接続領域が画定される。本実施形態中、第１の並列接続領域２０７は、第１の周辺領域２０３ａに画定される。第１の並列接続領域２０７内は、各間隔２０６から第１の周辺領域２０３ａ上まで延伸する第１の電極導線２０５３ａの一部を被覆する複数の第１の絶縁部２０８を設ける。複数の第１の電極導線２０５３ａの第１の絶縁部２０８が被覆されない突出端の作用は、以下の図５の説明箇所で詳細に説明する。第１の絶縁部２０８は、多層ポリエステルフィルム又は無機材料からなる。
【００２８】
図５に示すように、第１の並列接続領域２０７が画定され、第１の絶縁部２０８が複数の第１の電極導線２０５３ａを被覆した後、第１の周辺領域２０３ａと第２の周辺領域２０３ｂには、第１の周辺リード構造２０９と第２の周辺リード構造２１０とが形成される。第１の周辺リード構造２０９は、第１の並列接続領域２０７内に位置して遮蔽層２０４上に設置され、延伸して第１の絶縁部２０８上に跨設される。
複数の第１の電極導線２０５３ａの第１の絶縁部２０８で被覆されない突出端は、第１の周辺リード構造２０９が延伸された第１の並列接続領域２０７において、第１の周辺リード構造２０９と連結される。第１の周辺リード構造２０９は、少なくとも１つの第１のリード２０９１及び第２のリード２０９２からなる。
第１のリード２０９１は、第１の電極導線２０５３ａの一部に接続され、第２のリード２０９２は、第１の電極導線２０５３ａの残りの部分にそれぞれ左右に振り分けて接続される。即ち、同一の横方向に対応する第２の電極２０５２の第１の電極導線２０５３ａは、第１のリード２０９１及び第２のリード２０９２によって並列接続される（詳細な並列接続構造は、図６〜図１０の説明箇所において説明する）。この並列接続方式により、第１の電極導線２０５３ａの接点数が減少する。
【００２９】
第１のリード２０９１は、第１の周辺領域２０３ａから延伸され、表示領域を迂回して第３の周辺領域２０３ｃを通過し、第２の周辺領域２０３ｂまで至る。
第２のリード２０９２は、第１の周辺領域２０３ａから延伸され、表示領域を迂回して第４の周辺領域２０３ｄを経て第２の周辺領域２０３ｂまで至る。
第２の周辺リード構造２１０は、第２の電極導線２０５３ｂ及び第１の電極２０５１に接続される複数の第３のリード２１０１を含む。第１の周辺リード構造２０９及び第２の周辺リード構造２１０は、可撓性結合構造（ｆｌｅｘ  ｂｏｎｄｉｎｇ）により、ＩＣメインボード又はＬＣＤのフレキシブル基板に電気的に接続される。
【００３０】
ここで、第１の周辺リード構造２０９及び第２の周辺リード構造２１０は、銀ペースト、銅、モリブデンなどの金属材料から構成する。銀ペーストを採用する場合、印刷工程により、第１の周辺領域２０３ａ〜第４の周辺領域２０３ｄの遮蔽層２０４上に印刷される。他の金属材料が採用される場合、印刷又はフォトエッチングによって形成することができる。
【００３１】
第１の周辺リード構造２０９と第１の電極導線２０５３ａとの並列接続構造を詳細に説明する。図６〜図９を参照する。図６〜図９中、電極導線と各リードとの連結を明確に示すために、説明中で言及しないリード及び電極導線は図示しない。
【００３２】
図６に示すように、前述の各間隔２０６内で第１の電極２０５１の横方向に位置して縦方向第８列に対応する第２の電極２０５２（図中ＲＸ８）に接続する第１の電極導線２０５３ａは、第１の絶縁部２０８の下方を通過して第１の周辺リード構造２０９の第２のリード２０９２に接続される。第２のリード２０９２は、第１の周辺領域２０３ａから延伸して表示領域を迂回して第４の周辺領域２０３ｄを経て第１の周辺領域２０３ｂに至る。
【００３３】
図７に示すように、前述の各間隔２０６内の縦方向第７列の横方向に対応する第２の電極２０５２（図中ＲＸ７）に接続する第１の電極導線２０５３ａは、第１の絶縁部２０８の下方を通過して第１の周辺リード構造２０９の第２のリード２０９２に連結される。第２のリード２０９２は、第１の周辺領域２０３ａから延伸して同じく表示領域を迂回して、第４の周辺領域２０３ｄを経由して第１の周辺領域２０３ｂに至る。
【００３４】
図８に示すように、前述の各間隔２０６内の縦方向第６列の横方向に対応する第２の電極２０５２（図中ＲＸ６）に接続する第１の電極導線２０５３ａは、第１の絶縁部２０８の下方を通過して第１の周辺リード構造２０９の第１のリード２０９１に連結されるが、第１のリード２０９１は、下方の第１の周辺領域２０３ａから延伸して、上記と反対側に表示領域を迂回して第３の周辺領域２０３ｃを経由して第１の周辺領域２０３ｂに至る。
【００３５】
図９に示すように、前述の各間隔２０６内の縦方向第５列の横方向に対応する第２の電極２０５２（図中ＲＸ５）に接続する第１の電極導線２０５３ａは、第１の絶縁部２０８の下方を通過した後、下方の第１の周辺リード構造２０９の第１のリード２０９１に連結されるが、第１のリード２０９１は、第１の周辺領域２０３ａから延伸し、同様に表示領域を迂回して第３の周辺領域２０３ｂを経由して第１の周辺領域２０３ｂに至る。
【００３６】
図１０は、図５中の並列接続領域と同一効果である構造を示す。図１０では、各リードと電極導線との間の並列接続跨設関係を明確にするため、図５に示す絶縁部２０８を図示しない。
図１０中の縦方向同一列の横方向に対応する第２の電極２０５２の第１の電極導線２０５３ａは、左右の第１のリード２０９１及び第２のリード２０９２によってそれぞれ並列接続される。第１のリード２０９１及び第２のリード２０９２がループして示される部位は、第１の絶縁部２０８上を経由して跨設される部位を示す。これにより、他の横方向に対応する第２の電極２０５２の第１の電極導線２０５３ａと絶縁される。
【００３７】
タッチパネル１００は、保護層（図示せず）をさらに有する。保護層は、透明導電パターン２０５、絶縁部２０８、第１の周辺リード構造２０９及び第２の周辺リード構造２１０上を被覆する。保護層の目的は、表示領域２０２及び各周辺領域２０３ａ〜２０３ｄ内の各素子又は導電パターンが化学的侵食又は物理的損傷を受けるのを防止することである。保護層の材料は、窒化シリコン（ｓｉｌｉｃｏｎ  ｎｉｔｒｉｄｅ）、酸化シリコン（ｓｉｌｉｃｏｎ  ｏｘｉｄｅ）、酸窒化シリコン（ｓｉｌｉｃｏｎ  ｏｘｙｎｉｔｒｉｄｅ）、アクリル樹脂（ａｃｒｙｌｉｃ  ｒｅｓｉｎ）などの無機材料又は他の適切な材料である。
【００３８】
図１１は、図５中の線Ｙ−Ｙ’に沿った断面図である。図面を簡素化するために、タッチパネルの他の領域中の部材は省略し、それらに対応する説明も省略する。
図１１から、基板２０１は、内部導電パターンを設置するベースであることが明確に分かる。遮蔽層２０４は、基板２０１上に形成される。第２の電極２０５２（図５参照）の第１の電極導線２０５３ａは、第１の周辺領域２０３ａの遮蔽層２０４上まで延伸し、絶縁部２０８は、この第１の電極導線２０５３ａ上を被覆する。第１の周辺リード構造２０９（図５参照）の第１のリード２０９１は、電極導線２０５３ａを跨いで絶縁部２０８上に形成される。
【００３９】
図１２は、図５中の線Ｘ−Ｘ’に沿った断面図である。図面を簡素化するために、タッチパネルの他の領域中の部材は省略し、それらに対応する説明も省略する。
図１２から、第１の周辺リード構造２０９（図５参照）の第１のリード２０９１は、遮蔽層２０４から第１の絶縁部２０８上まで延伸し、第１の絶縁部２０８下方の第１の電極導線２０５３ａの第１の絶縁部２０８が被覆されない部分に接続されることが明確に分かる。
【００４０】
図１３は、本考案の他の実施形態によるタッチパネルを示す平面図である。本実施形態によるタッチパネルの全体構造は、前述の実施形態と略同一であるため、同一の部材及び符合は、贅言しない。上述の実施形態と同一の部材は、本実施形態においても同一の符号を使用する。
図１３に示すように、本実施形態においては、第１の周辺領域２０３ａに第１の並列接続領域２０７が画定され、第２の周辺領域２０３ｂに画定される第２の並列接続領域３０７を有する。
第２の並列接続領域３０７は、複数の第２の絶縁部３０８及び第２の周辺リード構造３０９を有する。複数の第２の絶縁部３０８の一部は、複数の第２の電極導線２０５３ｂを被覆する。第２の絶縁部３０８は、多層のポリエステルフィルム又は無機材料である。
第２の周辺リード構造３０９は、第２の並列接続領域３０７に位置して、遮蔽層２０４上に設置され、第２の絶縁部３０８上に跨設される。第２の周辺リード構造３０９の材料及び製造工程は、第１の周辺リード構造２０９と同一である。
また、第２の周辺リード構造３０９は、複数の第３のリード３０９１、第４のリード３０９２及び第５のリード３０９３を有する。第３のリード３０９１は、一部の第２の電極導線２０５３ｂに接続される。第４のリード３０９２は、残りの第２の電極導線２０５３ｂに接続される。第５のリード３０９３は、複数の第１の電極２０５１に接続される。
【００４１】
さらに詳細に述べると、各間隔２０６内の縦方向同一列の横向きに対応する第２の電極２０５２（図１３中、縦方向第１列に対応する第２の電極２０５２は、ＲＸ１と記し、縦方向第２列〜第４列は、それぞれＲＸ２〜ＲＸ４と記す）の第２の電極導線２０５３ｂは、第３のリード３０９１及び第４のリード３０９２によって並列接続される。これにより、第２の電極導線２０５３ｂの接点数が減少する。
【００４２】
第２の絶縁部３０８は、第１の絶縁部２０８と同一のステップにより形成することができる。また、第２の周辺リード構造３０９は、第１の周辺リード構造２０９と同一のステップにより形成することができる。
【００４３】
上述したことから分かるように、本考案のタッチパネルは、各間隔２０６内の第２の電極２０５２の第１の電極導線２０５３ａと第２の電極導線２０５３ｂとがそれぞれ上下方向に延伸し、下方の第１の周辺領域２０３ａと上方の第２の周辺領域２０３ｂとに分かれてそれぞれ至る。これにより、第１の電極と第の電極間の間隔２０６に第１の電極導線２０５３ａ及び第２の電極導線２０５３ｂを敷設するために形成される非検出領域Ａ’の幅が縮小される。本考案の非検出領域Ａ’と図１に示す従来技術の非検出領域Ａとを比較すると、本考案の非検出領域Ａ’は、従来技術の非検出領域Ａより、明確に幅が縮小されていることが分かる。これにより、基板２０１全体上における、透明導電パターン２０５の第１の電極２０５１及び第２の電極２０５２のアレイ配列が密集したものにできるため、タッチ感度及びタッチパネル特性の直線性を高めることができる。
また、第１の周辺リード構造２０９及び／又は第２の周辺リード構造３０９と、各間隔２０６内の同一列の第２の電極２０５２の第１の電極導線２０５３ａ及び／又は第２の電極導線２０５３ｂと、が並列接続されることにより、第１の周辺リード構造２０９及び第２の周辺リード構造３０９のリードの数を電極導線の数より少なくすることができる。リードの数が減少するため、リードの接点数も減少する。これにより、フレキシブル回路基板の寸法を縮小することができ、接点とフレキシブル回路基板との結合不良率を低減することができる。また、従来技術と比較し、本考案においては、銀ペーストによって第１の周辺リード構造２０９及び第２の周辺リード構造３０９が構成されるため、信号を伝送する際の抵抗を低減することができる。これにより、第１の電極導線２０５３ａ及び／又は第２の電極導線２０５３ｂから、第１の周辺リード構造２０９及び第２の周辺リード構造３０９に検出信号が伝送される際、信号の伝送速度が高まるため、タッチ感度を高めることができる。
【００４４】
以上の説明は、本考案を限定するものではなく、当業者は、本考案の主旨を逸脱しない範囲において変更及び修飾を行うことができる。本考案の保護範囲は、実用新案登録申請の範囲に準拠する。
【符号の説明】
【００４５】
１００  タッチパネル
１０１  表示領域
１０３  周辺領域
１０３ａ  上側領域
１０３ｂ  下側領域
１０３ｃ  右側領域
１０３ｄ  左側領域
１０６  周辺リード
１０４  導電パターン
１０４１  第１の電極
１０４２  第２の電極
１０４２１  電極導線
１０４３  間隔
２００  タッチパネル
２０１  基板
２０２  表示領域
２０３ａ  第１の周辺領域
２０３ｂ  第２の周辺領域
２０３ｃ  第３の周辺領域
２０３ｄ  第４の周辺領域
２０４  遮蔽層
２０５  透明導電パターン
２０５１  第１の電極
２０５２  第２の電極
２０５３ａ  第１の電極導線
２０５３ｂ  第２の電極導線
２０６  間隔
２０７  第１の並列接続領域
２０８  絶縁部
２０９  第１の周辺リード構造
２０９１  第１のリード
２０９２  第２のリード
２１０  第２の周辺リード構造
２１０１  第３のリード
３０７  第２の並列接続領域
３０８  第２の絶縁部
３０９  第２の周辺リード構造
３０９１  第３のリード
３０９２  第４のリード
３０９３  第５のリード
Ａ’  非検出領域
【図１】
0003182005.tif 000003
【図２】
0003182005.tif 000004
【図３】
0003182005.tif 000005
【図４】
0003182005.tif 000006
【図５】
0003182005.tif 000007
【図６】
0003182005.tif 000008
【図７】
0003182005.tif 000009
【図８】
0003182005.tif 000010
【図９】
0003182005.tif 000011
【図１０】
0003182005.tif 000012
【図１１】
0003182005.tif 000013
【図１２】
0003182005.tif 000014
【図１３】
0003182005.tif 000015